【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
複数のデバイスが第１の能力を有すると決定することと、
前記複数のデバイスの第１のセットの各々からの第１の即時応答を懇請する第１のマルチユーザ（ＭＵ）パケットを生成すること、ここにおいて、前記第１のＭＵパケットは、スペシャルフレームを備え、前記スペシャルフレームは、前記第１の即時応答を送るためにマルチユーザ（ＭＵ）多入力多出力（ＭＩＭＯ）、または周波数分割多元接続（ＦＤＭＡ）を使用するための第１の応答タイプをデバイスの前記第１のセットの各々に示し、前記スペシャルフレームは、前記第１の応答タイプインジケーションが前記第１の即時応答のためにＭＵ  ＭＩＭＯまたはＭＵ  ＦＤＭＡを使用することを示す場合、前記第１の即時応答を送るために使用する１つまたは複数のパラメータを示す、と、
前記複数のデバイスの第２のセットの各々からの第２の即時応答を懇請する第２のＭＵパケットを生成すること、ここにおいて、前記複数のデバイスの前記第２のセットのうちの少なくとも１つは、前記複数のデバイスの前記第１のセットと異なり、前記第２のＭＵパケットは、前記第１のＭＵパケットとは異なる、と
を行うように構成された処理システムと、
送信のために前記第１のＭＵパケットと前記第２のＭＵパケットとを出力するように構成された第１のインターフェース、ここにおいて、前記第２のＭＵパケットは、前記第２の応答タイプインジケーションが前記第２の即時応答のためにＭＵ  ＭＩＭＯまたはＭＵ  ＦＤＭＡを使用することを示す場合、前記第２の即時応答を送るためにＭＵ  ＭＩＭＯ  またはＭＵ  ＦＤＭＡを使用するための第２の応答タイプを前記デバイスの第２のセットの各々に示す別のスペシャルフレームを備え、前記別のスペシャルフレームは、前記第２の即時応答を送るために使用する１つまたは複数のパラメータを示す、と、
前記第１の即時応答と前記第２の即時応答とを取得するように構成された第２のインターフェース、ここにおいて、前記第２の即時応答は、前記第１の即時応答の後に取得され、前記第１の即時応答は、同時に取得され、前記第２の即時応答は、同時に取得され、前記第１のインターフェースは、ブロック確認応答（ＢＡ）を出力するようにさらにを備え、前記ＢＡは、前記第１の即時応答と前記第２の即時応答が正常に受信されたかどうかを確認応答する、と
を備える、ワイヤレス通信のための装置。
【請求項２】
前記第１の能力は、ＭＵ多入力多出力（ＭＵ−ＭＩＭＯ）または周波数分割多元接続（ＦＤＭＡ）のうちの少なくとも１つのためのサポートを備える、
請求項１に記載の装置。
【請求項３】
前記第１の即時応答は、デバイスの前記第１のセットの各々からの第１のＭＵ  ＭＩＭＯまたはＭＵ  ＦＤＭＡデータフレームを備え、前記第２の即時応答は、デバイスの前記第２のセットの各々からの第２のＭＵ  ＭＩＭＯまたはＭＵ  ＦＤＭＡデータフレームを備える、
請求項１に記載の装置。
【請求項４】
前記インターフェースは、ＭＵ  ＭＩＭＯまたはＭＵ  ＦＤＭＡを使用してグループキャストまたは送信のために前記ＢＡを出力するように構成される、
請求項１に記載の装置。
【請求項５】
前記第２のＭＵパケット中のビットは、前記第２の即時応答を懇請する、
請求項１に記載の装置。
【請求項６】
前記ビットは、逆方向許可（ＲＤＧ）を備える、
請求項５に記載の装置。
【請求項７】
前記第２のＭＵパケットは、前記第１のＭＵパケットに関連するトークン番号に一致するトークン番号を有する、
請求項１に記載の装置。
【請求項８】
前記デバイスの第１のセットと前記デバイスの第２のセットとは、同じである、
請求項１に記載の装置。
【請求項９】
前記デバイスの第１のセットと前記デバイスの第２のセットとは、異なる、
請求項１に記載の装置。
【請求項１０】
前記スペシャルフレームは、前記デバイスの第１のセットと前記デバイスの第２のセットとを示す、
請求項１に記載の装置。
【請求項１１】
前記スペシャルフレームは、前記デバイスの第１のセットと前記デバイスの第２のセットとの順序を示す、
請求項１０に記載の装置。
【請求項１２】
前記第２のＭＵパケットは、前記デバイスの第１のセットまたは前記デバイスの第２のセットが前記即時応答を送信することができるかどうかを示すカウンタを含む、
請求項１に記載の装置。
【請求項１３】
前記第１のＭＵパケットは、前記複数デバイスのうちの第３のセットからの第３の即時応答を懇請する、
請求項１に記載の装置。
【請求項１４】
前記第２のＭＵパケットは、他のスペシャルフレームを備え、
前記他のスペシャルフレームは、前記第２の即時応答を送るためにＭＵ  ＭＩＭＯ、またはＭＵ  ＦＤＭＡを使用するための応答タイプをデバイスの前記第２のセットの各々に示す、
請求項１に記載の装置。
【請求項１５】
前記スペシャルフレームは、前記デバイスの第２のセットがスケジュールされるかどうかを示す、
請求項１に記載の装置。
【請求項１６】
前記第１のＭＵパケットを生成することは、前記スペシャルフレームをそれの中に含むＭＵ多入力多出力（ＭＩＭＯ）アグリゲート媒体アクセス制御（ＭＡＣ）プロトコルデータユニット（Ａ−ＭＰＤＵ）を生成することを備える、
請求項１に記載の装置。
【請求項１７】
前記第１の即時応答は、デバイスの前記第１のセットの各々からの第１のＭＵ  ＭＩＭＯまたはＭＵ  ＦＤＭＡデータフレームを備え、各ＭＵ  ＭＩＭＯまたはＭＵ  ＦＤＭＡデータフレームは、前記スペシャルフレームを含む前記ＭＵ  ＭＩＭＯ  Ａ−ＭＰＤＵが正常に受信されたかどうか示す確認応答（ＡＣＫ）を備える、
請求項１６に記載の装置。
【請求項１８】
前記第２のＭＵパケットは、デバイスの前記第２のセットの各々のためのＭＵ多入力多出力（ＭＩＭＯ）アグリゲート媒体アクセス制御（ＭＡＣ）プロトコルデータユニット（Ａ−ＭＰＤＵ）を備え、各ＭＵ  ＭＩＭＯ  Ａ−ＭＰＤＵは、前記第１の即時応答が前記第１のセット中の前記デバイスのうちの１つから正常に受信されたかどうかを示す確認応答（ＡＣＫ）を含む、
請求項１に記載の装置。
【請求項１９】
前記複数のデバイスが前記第１の能力を有すると決定することは、前記複数のデバイスの各々から、前記第１の能力のためのサポートを示す情報要素（ＩＥ）を受信することを備える、
請求項１に記載の装置。
【請求項２０】
複数のデバイスが第１の能力を有すると決定することと、
前記複数のデバイスの第１のセットの各々からの第１の即時応答を懇請する第１のマルチユーザ（ＭＵ）パケットを生成すること、ここにおいて、前記第１のＭＵパケットは、スペシャルフレームを備え、前記スペシャルフレームは、前記第１の即時応答を送るためにマルチユーザ（ＭＵ）多入力多出力（ＭＩＭＯ）、または周波数分割多元接続（ＦＤＭＡ）を使用するための応答タイプをデバイスの前記第１のセットの各々に示し、前記スペシャルフレームは、前記第１の応答タイプインジケーションが前記第１の即時応答のためにＭＵ  ＭＩＭＯまたはＭＵ  ＦＤＭＡを使用することを示す場合、前記第１の即時応答を送るために使用する１つまたは複数のパラメータを示す、と、
前記複数のデバイスの第２のセットの各々からの第２の即時応答を懇請する第２のＭＵパケットを生成すること、ここにおいて、前記複数のデバイスの前記第２のセットのうちの少なくとも１つは、前記複数のデバイスの前記第１のセットと異なり、前記第２のＭＵパケットが前記第１のＭＵパケットとは異なる、と、
送信のために前記第１のＭＵパケットと前記第２のＭＵパケットとを出力すること、ここにおいて、前記第２のＭＵパケットは、前記第２の応答タイプインジケーションが前記第２の即時応答のためにＭＵ  ＭＩＭＯまたはＭＵ  ＦＤＭＡを使用することを示す場合、前記第２の即時応答を送るためにＭＵ  ＭＩＭＯ  またはＭＵ  ＦＤＭＡを使用するための第２の応答タイプを前記デバイスの第２のセットの各々に示す別のスペシャルフレームを備え、前記別のスペシャルフレームは、前記第２の即時応答を送るために使用する１つまたは複数のパラメータを示す、と、
前記第１の即時応答と前記第２の即時応答とを取得すること、ここにおいて、前記第２の即時応答は、前記第１の即時応答の後に取得され、前記第１の即時応答は、同時に取得され、前記第２の即時応答は、同時に取得される、と、
送信のためのブロック確認応答（ＢＡ）を出力すること、前記ＢＡは、前記第１の即時応答と前記第２の即時応答が正常に受信されたかどうかを確認応答する、と
を備える、ワイヤレス通信のための方法。
【請求項２１】
複数のデバイスが第１の能力を有すると決定するための手段と、
前記複数のデバイスの第１のセットの各々からの第１の即時応答を懇請する第１のマルチユーザ（ＭＵ）パケットを生成するための手段、ここにおいて、前記第１のＭＵパケットは、スペシャルフレームを備え、前記スペシャルフレームは、前記第１の応答タイプインジケーションが前記第１の即時応答のためにマルチユーザ（ＭＵ）多入力多出力（ＭＩＭＯ）またはＭＵ周波数分割多元接続（ＦＤＭＡ）を使用することを示す場合、前記第１の即時応答を送るために前記ＭＵ  ＭＩＭＯ、または前記ＭＵ  ＦＤＭＡを使用するための応答タイプをデバイスの前記第１のセットの各々に示し、前記スペシャルフレームは、前記第１の即時応答を送るために使用する１つまたは複数のパラメータを示す、と、
前記複数のデバイスの第２のセットの各々からの第２の即時応答を懇請する第２のＭＵパケットを生成するための手段、ここにおいて、前記複数のデバイスの前記第２のセットのうちの少なくとも１つは、前記複数のデバイスの前記第１のセットと異なり、前記第２のＭＵパケットが前記第１のＭＵパケットとは異なる、と、
送信のために前記第１のＭＵパケットと前記第２のＭＵパケットとを出力するための手段、ここにおいて、前記第２のＭＵパケットは、前記第２の応答タイプインジケーションが前記第２の即時応答のためにＭＵ  ＭＩＭＯまたはＭＵ  ＦＤＭＡを使用することを示す場合、前記第２の即時応答を送るためにＭＵ  ＭＩＭＯ  またはＭＵ  ＦＤＭＡを使用するための第２の応答タイプを前記デバイスの第２のセットの各々に示す別のスペシャルフレームを備え、前記別のスペシャルフレームは、前記第２の即時応答を送るために使用する１つまたは複数のパラメータを示す、と、
前記第１の即時応答と前記第２の即時応答とを取得するための手段、ここにおいて、前記第２の即時応答は、前記第１の即時応答の後に取得され、前記第１の即時応答は、同時に取得され、前記第２の即時応答は、同時に取得される、と、
送信のためのブロック確認応答（ＢＡ）を出力するための手段、前記ＢＡは、前記第１の即時応答と前記第２の即時応答が正常に受信されたかどうかを確認応答する、と
を備える、ワイヤレス通信のための装置。
【請求項２２】
複数のデバイスが第１の能力を有すると決定することと、
前記複数のデバイスの第１のセットの各々からの第１の即時応答を懇請する第１のマルチユーザ（ＭＵ）パケットを生成すること、ここにおいて、前記第１のＭＵパケットは、スペシャルフレームを備え、前記スペシャルフレームは、前記第１の即時応答を送るためにマルチユーザ（ＭＵ）多入力多出力（ＭＩＭＯ）、または周波数分割多元接続（ＦＤＭＡ）を使用するための応答タイプをデバイスの前記第１のセットの各々に示し、前記スペシャルフレームは、前記第１の応答タイプインジケーションが前記第１の即時応答のためにＭＵ  ＭＩＭＯまたはＭＵ  ＦＤＭＡを使用することを示す場合、前記第１の即時応答を送るために使用する１つまたは複数のパラメータを示す、と、
前記複数のデバイスの第２のセットの各々からの第２の即時応答を懇請する第２のＭＵパケットを生成すること、ここにおいて、前記複数のデバイスの前記第２のセットのうちの少なくとも１つは、前記複数のデバイスの前記第１のセットと異なり、前記第２のＭＵパケットが前記第１のＭＵパケットとは異なる、と
を行うように構成された処理システムと、
前記第１のＭＵパケットと前記第２のＭＵパケットとを送信するように構成された送信機、ここにおいて、前記第２のＭＵパケットは、前記第２の応答タイプインジケーションが前記第２の即時応答のためにＭＵ  ＭＩＭＯまたはＭＵ  ＦＤＭＡを使用することを示す場合、前記第２の即時応答を送るためにＭＵ  ＭＩＭＯ  またはＭＵ  ＦＤＭＡを使用するための第２の応答タイプを前記デバイスの第２のセットの各々に示す別のスペシャルフレームを備え、前記別のスペシャルフレームは、前記第２の即時応答を送るために使用する１つまたは複数のパラメータを示す、と、
前記第１の即時応答と前記第２の即時応答とを受信するように構成された受信機、ここにおいて、前記第２の即時応答は、前記第１の即時応答の後に受信され、前記第１の即時応答は、同時に受信され、前記第２の即時応答は、同時に受信され、前記送信機は、送信のためのブロック確認応答（ＢＡ）を出力するようにさらに構成され、前記ＢＡは、前記第１の即時応答と前記第２の即時応答が正常に受信されたかどうかを確認応答する、と
を備える、アクセスポイント（ＡＰ）。